(57)【要約】【課題】  従来は、撮影した動画像の先頭部分及び中央部分の一部範囲から画像データを複数抽出してクイックレビューとして表示していたため、撮影した動画像の全体を確認することができない。【解決手段】  クイックレビュー用の画像の抽出条件を入力し、その抽出条件に基づいて、撮影した動画の画像データの一部の画像データを抽出する（Ｓ３１５〜Ｓ３１７）。そしてその抽出された画像データを、抽出した順番と関連付けて記憶し、動画撮影の終了後に、その記憶された画像データをクイックレビュー用の画像として再生表示する（Ｓ３０５）。【選択図】  図５
2010068474.tif 000002
【特許請求の範囲】
【請求項１】
動画像を撮影する撮像装置であって、
確認用画像の抽出条件を入力する入力手段と、
前記入力手段により入力された前記抽出条件に基づいて、撮影した動画の画像データの一部の画像データを抽出する画像抽出手段と、
前記画像抽出手段により抽出された画像データを、抽出した順番と関連付けて記憶する画像データ記憶手段と、
前記動画撮影の終了後に、前記画像データ記憶手段に記憶された前記画像データを前記確認用画像として再生表示する画像表示手段と、
を有することを特徴とする撮像装置。
【請求項２】
前記抽出条件は、時間、被写体の条件、輝度、ズーム操作の有無の少なくともいずれかを指定することを特徴とする請求項１に記載の撮像装置。
【請求項３】
前記抽出条件が時間を指定する場合、前記画像抽出手段は、動画撮影の所定時間ごとに、撮影した動画像の画像データの一部の画像データを静止画データとして抽出することを特徴とする請求項２に記載の撮像装置。
【請求項４】
前記抽出条件が被写体の条件を含む場合、動画撮影で撮影された被写体が前記画像表示手段の表示面積に占める割合が所定値以上である場合に、前記画像抽出手段は、撮影した動画像の画像データの一部の画像データを静止画データとして抽出することを特徴とする請求項２に記載の撮像装置。
【請求項５】
前記抽出条件がズーム操作の有無を指定する場合、動画撮影中にズーム操作が行われると、前記画像抽出手段は、撮影した動画像の画像データの一部の画像データを静止画データとして抽出することを特徴とする請求項２に記載の撮像装置。
【請求項６】
前記抽出条件が輝度を指定する場合、前記動画撮影で撮影した画像データの輝度値が所定値以上変化した場合に、前記画像抽出手段は、撮影した動画像の画像データの一部の画像データを静止画データとして抽出することを特徴とする請求項２に記載の撮像装置。
【請求項７】
前記抽出条件が時間を指定する場合、前記画像抽出手段は、動画撮影の所定時間ごとに、撮影した動画像の画像データの一部の画像データを動画データとして抽出することを特徴とする請求項２に記載の撮像装置。
【請求項８】
前記抽出条件が被写体の条件を含む場合、動画撮影で撮影された被写体が前記画像表示手段の表示面積に占める割合が所定値以上である場合に、前記画像抽出手段は、撮影した動画像の画像データの一部の画像データを動画データとして抽出することを特徴とする請求項２に記載の撮像装置。
【請求項９】
前記抽出条件がズーム操作の有無を指定する場合、動画撮影中にズーム操作が行われると、前記画像抽出手段は、撮影した動画像の画像データの一部の画像データを動画データとして抽出することを特徴とする請求項２に記載の撮像装置。
【請求項１０】
前記抽出条件が輝度を指定する場合、前記動画撮影で撮影した画像データの輝度値が所定値以上変化した場合に、前記画像抽出手段は、撮影した動画像の画像データの一部の画像データを動画データとして抽出することを特徴とする請求項２に記載の撮像装置。
【請求項１１】
前記画像表示手段は、前記画像データ記憶手段に記憶された１つもしくは複数の画像データを前記画像抽出手段で抽出された順に再生して表示することを特徴とする請求項１乃至１０のいずれか１項に記載の撮像装置。
【請求項１２】
前記画像表示手段が確認用画像を再生表示する際の表示時間を入力する手段を更に有し、
前記画像表示手段は、入力された前記表示時間に基づいて前記確認用画像を再生して表示することを特徴とする請求項１乃至１１のいずれか１項に記載の撮像装置。
【請求項１３】
前記画像データ記憶手段が複数の画像データを記憶している場合、前記画像表示手段は、前記表示時間と、前記複数の画像データの数とに応じて前記確認用画像の表示時間を決定して表示することを特徴とする請求項１２に記載の撮像装置。
【請求項１４】
前記画像表示手段は、前記画像データ記憶手段に記憶された画像データの内、一部もしくは全てを同時に再生して表示することを特徴とする請求項１に記載の撮像装置。
【請求項１５】
動画像を撮影する撮像装置の制御方法であって、
確認用画像の抽出条件を入力する入力工程と、
前記入力工程で入力された前記抽出条件に基づいて、撮影した動画の画像データの一部の画像データを抽出する画像データ抽出工程と、
前記画像データ抽出工程で抽出された画像データを、抽出した順番と関連付けて記憶する画像データ記憶工程と、
前記動画撮影の終了後に、前記画像データ記憶工程で記憶された前記画像データを前記確認用画像として再生表示する画像表示工程と、
を有することを特徴とする撮像装置の制御方法。
【発明の詳細な説明】
【技術分野】
【０００１】
本発明は、静止画像や動画像を撮像、記録、再生する撮像装置及び撮像装置の制御方法に関する。より詳しくは、撮像装置で撮影した画像を記憶媒体に記録すると共に、その撮影した画像を確認するクイックレビュー機能を有する撮像装置及び撮像装置の制御方法に関するものである。
【背景技術】
【０００２】
固体メモリ素子を有するメモリカードを記憶媒体とし、撮影した静止画や動画をその記憶媒体に記憶し、また記憶媒体から静止画や動画を読み出して再生できる電子カメラなどの撮像装置が広く知られている。これら撮像装置では、撮影前の画像を連続して表示部に表示して使用者が被写体の構図を決定し、また撮影した画像を表示部に表示させて確認することが可能である。
【０００３】
特に、撮影した画像を撮影直後に再生する機能（クイックレビュー）は、利便性が高く、撮像装置の使用者にとって有益な機能となっている。このクイックレビュー機能では、記憶媒体に記憶した画像からレビュー画像を作成する場合、その記憶媒体からの画像データの読み出し処理や画像処理、符号化処理の時間を省略できるため、撮影直後に逸早く撮影した画像を確認できる。しかしながら、このようなクイックレビュー機能による画像の確認は静止画の撮影時には行うことができるが、動画の撮影時には実行できず、動画撮影を終了した時点の静止画を再生して確認するのが一般的であった。
【０００４】
これに対して特許文献１では、撮影した動画の先頭（撮影開始）部分及び中央部分の一部範囲から画像データ（静止画）を複数抽出し、それら静止画をクイックレビューとして表示するようにしている。
【特許文献１】特開２００３−２３６００号公報
【発明の開示】
【発明が解決しようとする課題】
【０００５】
しかしながら上記特許文献１では、撮影した動画像の先頭部分及び中央部分の一部範囲から画像データを複数抽出してクイックレビューとして表示するため、撮影した動画像の全体を確認することができない。また動画像の中間部分以降に重要な場面が存在していたとしても、従来のクイックレビューでは、それら重要な場面を確認することができなかった。
【０００６】
更に特許文献１では、クイックレビューとして表示する画像を抽出する領域が予め定められているため、撮影した動画の重要な場面が必ずしも確認できるとは限らない。
【０００７】
本発明の目的は、このような従来の問題点を解決することにある。
【０００８】
本願発明の特徴は、撮影した動画の全体を確認することが可能なクイックレビュー機能を有する撮像装置及び当該撮像装置の制御方法を提供することにある。
【０００９】
また本願発明の特徴は、撮影した動画の重要な場面を抽出しクイックレビューとして表示できる撮像装置及び当該撮像装置の制御方法を提供することにある。
【課題を解決するための手段】
【００１０】
上記目的を達成するために本発明の一態様に係る撮像装置は以下のような構成を備える。即ち、
動画像を撮影する撮像装置であって、
確認用画像の抽出条件を入力する入力手段と、
前記入力手段により入力された前記抽出条件に基づいて、撮影した動画の画像データの一部の画像データを抽出する画像抽出手段と、
前記画像抽出手段により抽出された画像データを、抽出した順番と関連付けて記憶する画像データ記憶手段と、
前記動画撮影の終了後に、前記画像データ記憶手段に記憶された前記画像データを前記確認用画像として再生表示する画像表示手段と、を有することを特徴とする。
【００１１】
上記目的を達成するために本発明の一態様に係る撮像装置の制御方法は以下のような工程を備える。即ち、
動画像を撮影する撮像装置の制御方法であって、
確認用画像の抽出条件を入力する入力工程と、
前記入力工程で入力された前記抽出条件に基づいて、撮影した動画の画像データの一部の画像データを抽出する画像データ抽出工程と、
前記画像データ抽出工程で抽出された画像データを、抽出した順番と関連付けて記憶する画像データ記憶工程と、
前記動画撮影の終了後に、前記画像データ記憶工程で記憶された前記画像データを前記確認用画像として再生表示する画像表示工程と、を有することを特徴とする。
【発明の効果】
【００１２】
本発明によれば、撮影者は撮影した動画の全体を確認することが出来る。
【００１３】
また本発明によれば、撮影者は撮影した動画の重要箇所を確認することが出来る。
【発明を実施するための最良の形態】
【００１４】
以下、添付図面を参照して本発明の好適な実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１５】
［実施形態１］
本発明に係る実施形態１を図１乃至図１１を参照して説明する。この実施形態１では、動画撮影の開始時、及び動画撮影中の所定時間毎、及び撮影終了時にクイックレビュー用画像データ（確認用画像）を画像メモリに記憶する。そして、その記憶した画像データをクイックレビューとして画像表示部２８に表示する場合の動作について説明する。
【００１６】
図１は、本発明の実施形態に係る撮像装置１００の構成を示すブロック図である。以下、図１を参照して、撮像装置１００の構成を説明する。
【００１７】
１０は撮像レンズである。１２はシャッタで、撮像素子１４への露光量を制御するための絞り機能を備えている。撮像素子１４は、レンズ１０、シャッタ１２を通って入射された光学像を電気信号に変換しており、例えばＣＣＤセンサ、ＣＭＯＳセンサなどである。撮像レンズ１０に入射した光線は、光量制限手段である絞り／シャッタ１２を介して導かれ、光学像として撮像素子１４の撮像面上に結像される。Ａ／Ｄ変換器１６は、撮像素子１４から出力されるアナログ信号をデジタル信号（以下、画像データ）に変換する。タイミング発生回路１８は、撮像素子１４、Ａ／Ｄ変換器１６、Ｄ／Ａ変換器２６等にクロック信号や制御信号を供給し、メモリ制御回路２２やシステム制御回路５０により制御される。
【００１８】
画像処理回路２０は、フィルタ回路やゲイン回路が組み合わせれており、Ａ／Ｄ変換器１６からの画像データ、或はメモリ制御回路２２からの画像データに対して所定の画素補間処理や色変換処理を行う。また画像処理回路２０は、撮像した画像データを用いて所定の演算処理を行う。そして、得られた演算結果に基づいてシステム制御回路５０がシャッタ制御部４０及び測距制御部４２を制御する、ＴＴＬ（スルー・ザ・レンズ）方式のＡＦ（オートフォーカス）処理、ＡＥ（自動露出）処理及びＥＦ（ストロボ調光）処理を行う。更に画像処理回路２０は、撮像した画像データを用いて所定の演算処理を行い、その演算結果に基づいてＴＴＬ方式のＡＷＢ（オートホワイトバランス）処理も行う。また画像処理回路２０は電子ズーム手段を有し、撮影した画像を中央部切り出し処理することにより電気的にズーミングを行うことが可能である。メモリ制御回路２２は、Ａ／Ｄ変換器１６、タイミング発生回路１８、画像処理回路２０、画像表示メモリ２４、Ｄ／Ａ変換器２６、画像メモリ３０及び圧縮・伸長回路３２を制御する。
【００１９】
Ａ／Ｄ変換器１６が出力する画像データは、画像処理回路２０及びメモリ制御回路２２を介して、或はメモリ制御回路２２のみを介して、画像表示メモリ２４或は画像メモリ３０に書き込まれる。画像表示メモリ２４は、画像表示部２８に表示する画像データを記憶する。Ｄ／Ａ変換器２６は、この画像データ（デジタルデータ）をアナログ信号に変換して画像表示部２８に出力して表示する。この画像表示部２８は、例えばＴＦＴ方式の液晶表示器（ＬＣＤ）などである。撮像素子１４で撮影した画像データを画像表示部２８により逐次表示することにより、電子ビューファインダ機能を実現することが可能である。
【００２０】
また記憶媒体２００或は記憶媒体２１０の記憶領域（２０２もしくは２１２）に記録されている画像データを読み出し、圧縮・伸長回路３２によって伸張した後、画像表示メモリ２４、Ｄ／Ａ変換器２６を介して画像表示部２８に表示することもできる。更に画像表示部２８は、システム制御回路５０の指示によって、任意に表示をオン／オフでき、表示をオフにした場合には撮像装置１００の電力消費を大幅に低減できる。
【００２１】
画像メモリ３０は、撮影された静止画や動画、クイックレビュー表示用の画像データを記憶する画像データ記憶手段で、所定枚数の静止画や所定時間の動画を記憶するのに十分な記憶量を備えている。これにより、複数枚の静止画を連続して撮影する連写撮影や動画撮影の場合にも、高速且つ大量の画像データの書き込みを画像メモリ３０に対して行うことが可能となる。システムメモリ５２は、システム制御回路５０の作業領域として使用される。圧縮・伸長回路３２は、適応離散コサイン変換（ＡＤＣＴ）などにより画像データを圧縮・伸長する。
【００２２】
シャッタ制御部４０は、絞り機能を備えるシャッタ１２を制御し、ストロボ４８と連携することによりストロボ調光機能も有する。測距制御部４２は、撮影レンズ１０のフォーカシングを制御する。シャッタ制御部４０及び測距制御部４２は、ＴＴＬ方式を用いて制御されており、撮像素子１４で撮像した画像データを画像処理回路２０によって演算した演算結果に基づき、システム制御回路５０がシャッタ制御部４０及び測距制御部４２を制御する。ズーム制御部４４は、撮影レンズ１０のズーミングを制御する。バリア制御部４６は、レンズバリアである保護部１０２の動作を制御する。ストロボ（フラッシュ）４８は、キセノン管による発光部とコンデンサによる充電部とを有し、充電電圧検出機能、ＡＦ補助光の投光機能、ストロボ調光機能などを有している。システム制御回路５０は、この撮像装置１００全体の動作を制御しており、撮影した動画の画像データの中から一部の画像データを抽出する画像抽出動作も行う。システム制御回路５０は、マイクロプロセッサ等のＣＰＵ５０１、このＣＰＵ５０１により実行されるプログラム等を記憶しているＲＯＭ５０２を具備している。
【００２３】
メモリ５２は、システム制御回路５０の動作用の定数、変数などを記憶するワークエリアを提供している。表示部５４は、このシステム制御回路５０でのプログラムの実行に応じて、文字、画像、音声等を用いて、この撮像装置の動作状態やメッセージ等を表示する液晶表示装置やスピーカ等を有する。この表示部５４は、撮像装置１００の操作部近辺の視認しやすい位置に１個もしくは複数個設置され、例えばＬＣＤやＬＥＤ、発音素子などの組み合わせにより構成されている。また表示部５４は、その一部の機能が光学ファインダ１０４内に設置されている。表示部５４に表示される内容の内、ＬＣＤ等に表示されるものは、シングルショット／連写撮影表示、セルフタイマ表示、圧縮率表示、記録画素数表示、記録枚数表示、残撮影可能枚数表示、シャッタスピード表示、絞り値表示、露出補正表示がある。更に、ストロボ表示、赤目緩和表示、マクロ撮影表示、ブザー設定表示、時計用電池残量表示、電池残量表示、エラー表示、複数桁の数字による情報表示、記憶媒体２００及び２１０の着脱状態表示がある。また更に、通信Ｉ／Ｆ動作表示、日付・時刻表示、外部コンピュータとの接続状態を示す表示などがある。
【００２４】
また表示部５４の表示内容の内、光学ファインダ１０４に表示するものには、合焦表示、手振れ警告表示、フラッシュ充電表示、シャッタスピード表示、絞り値表示、露出補正表示、等がある。表示部５４の表示内容のうちランプなどに表示するものとしては、セルフタイマ通知ランプなどがあり、このセルフタイマ通知ランプは、ＡＦ補助光と共用して用いても良い。不揮発性メモリ５６は、電気的に消去・記録可能なメモリで、必要に応じてメモリ５２の内容を記録するものであって、例えばＥＥＰＲＯＭなどが用いられる。この不揮発性メモリ５６は、操作部７４によって入力されたクイックレビュー再生時間を記憶する再生時間記憶手段としても機能も有する。タイマ５８は、経過時間を測定する。
【００２５】
６０，６２，６４，６６，６８，７０，７２及び７４は、システム制御回路５０の各種動作指示を入力するための操作部材であり、スイッチやダイヤル、タッチパネル、視線検知によるポインティング、音声認識装置等の単数或は複数の組み合わせで構成される。
【００２６】
次に、これら操作部材について説明する。
【００２７】
電源スイッチ６０は、この撮像装置１００の電源オン、電源オフを切り替えることができる。また撮像装置１００に接続された記憶媒体２００，２１０などの各種付属装置の電源オン、電源オフの設定も合わせて切り替えることができる。モードダイヤルスイッチ６２は、静止画撮影モード、動画撮影モード、再生モードなど、各種機能モードを設定できる。レリーズスイッチＳＷ１（６４）は、レリーズボタン（不図示）の操作途中でオンとなり、静止画撮影時にＡＦ（オートフォーカス）処理、ＡＥ（自動露出）処理、ＷＢ（ホワイトバランス）処理、ＥＦ（ストロボ調光）処理などの動作開始を指示する。レリーズスイッチＳＷ２（６６）は、レリーズボタンの操作完了でオンとなる。静止画撮影時に、レリーズスイッチＳＷ２（６６）は、撮像素子１４で撮影した画像データをメモリ制御回路２２を介して画像メモリ３０に書き込む露光処理を行う。また画像処理回路２０やメモリ制御回路２２による演算を用いた現像処理、画像メモリ３０から画像データを読み出し、圧縮・伸長回路３２で圧縮して記憶媒体２００或は２１０に書き込む一連の処理の動作開始を指示する。画像表示オン／オフスイッチ６８は、画像表示部２８の表示のオン／オフを設定することができる。この機能により、光学ファインダ１０４を用いて撮影を行う際に、ＬＣＤなどの画像表示部２８への電流供給を遮断することによって、省電力を図ることが可能となる。動画撮影ボタン７０は、動画撮影中でない時にオンされると動画撮影を開始し、動画撮影中にオンされると動画撮影を終了するように指示する。ズーム釦７２は、＋（プラス）釦と−（マイナス）釦があり（不図示）、このズーム釦７２が押されるとズーム制御部４４により撮影レンズ１０を駆動してズーミングする。＋（プラス）釦を押した場合、画画が狭まる方向に撮影レンズ１０を駆動してズーミングし、−（マイナス）釦を押した場合、画画が広がる方向に撮影レンズ１０を駆動してズーミングする。操作部７４は、各種ボタンやタッチパネルなどを有する操作部で、メニューボタン、セットボタン、マクロボタン、マルチ画面再生改ページボタン、ストロボ設定ボタン、単写／連写／セルフタイマ切り替えボタンを具備する。更に、メニュー移動＋（プラス）ボタン、メニュー移動−（マイナス）ボタン、再生画像移動＋（プラス）ボタン、再生画像移動−（マイナス）ボタン、撮影画質選択ボタン、露出補正ボタンを有する。また更に、日付／時間設定ボタン、選択／切り替えボタン、ＡＦモード設定スイッチ等を有する。この操作部７４は、クイックレビュー表示時間を設定する際にはクイックレビュー表示設定手段（再生時間設定手段）として使用される。クイックレビュー用画像データ記憶フラグ７６は、動画撮影時にクイックレビュー用画像データを記憶した場合に「１」にセットされる。カウンタ７７は、クイックレビュー用画像データ枚数カウンタであり、画像メモリ３０に記憶されているクイックレビュー用画像データの枚数をカウントしている。クイックレビュー用画像データ表示枚数カウンタ７８は、クイックレビュー開始時に「０」で、クイックレビュー開始からクイックレビュー終了までに画像表示部２８に表示されたクイックレビュー用画像データ数をカウントする。輝度値メモリ７９は輝度値記憶手段であり、撮影した画像データの輝度値を一時的に記憶する。
【００２８】
電源制御部８０は、電池検出回路、ＤＣ／ＤＣコンバータ、通電するブロックを切り替えるスイッチ回路等を具備している。電源制御部８０は、電池の装着の有無、電池の種類、電池残量の検出を行い、その検出結果、及びシステム制御回路５０の指示に基づいてＤＣ／ＤＣコンバータを制御し、必要な電圧を必要な期間、記憶媒体２００及び２１０を含む各部へ供給する。電源部は、第１の内側コネクタ８２は、第１の外側コネクタ８４、アルカリ電池やリチウム電池などの一次電池やＮｉＣｄ電池やＮｉＭＨ電池、Ｌｉ電池などの二次電池、ＡＣアダプタ等の電源８６を有している。
【００２９】
９０及び９４は、メモリカードやハードディスクなどの記憶媒体２００、２１０との第１のインターフェース及び第２のインターフェースである。９２，９６は、メモリカードやハードディスクなどの記憶媒体２００、２１０との接続を行う第２の内側コネクタ及び第３の内側コネクタである。記憶媒体着脱検知部９８は、第２及び第３のコネクタ９２、９６に記憶媒体２００、２１０が装着されているか否かを検知する。尚、本実施形態では、記憶媒体を取り付けるインターフェース及びコネクタを２系統持つものとして説明している。もちろん、記憶媒体を取り付けるインターフェース及びコネクタは、１つもしくは複数、いずれの系統数を備える構成としても構わない。また、異なる規格のインターフェース及びコネクタを組み合わせて備える構成としても構わない。
【００３０】
保護部１０２は、撮像装置１００のレンズ１０を含む撮像部を覆うことにより、撮像部の汚れや破損を防止するバリアとして機能する。光学ファインダ１０４は、画像表示部２８による電子ファインダ機能を使用することなく、光学ファインダ１０４のみを用いて撮影を行うことが可能である。
【００３１】
通信部１１０は、ＲＳ２３２やＵＳＢ、ＩＥＥＥ１３９４、Ｐ１２８４、ＳＣＳＩ、モデム、ＬＡＮ、無線通信などの各種通信機能を有する。１１２は、通信部１１０により撮像装置１００を他の機器と接続するコネクタ、もしくは無線通信の場合はアンテナである。
【００３２】
メモリカードやハードディスク等の第１の記憶媒体２００は、半導体メモリや磁気ディスク等の第１の記憶領域２０２と、撮像装置１００との第３のインターフェース２０４と、撮像装置１００と接続する第２の外側コネクタ２０６とを備えている。またメモリカードやハードディスク等の第２の記憶媒体２１０は、半導体メモリや磁気ディスク等の第２の記憶領域２１２と、撮像装置１００との第４のインターフェース２１４と、撮像装置１００と接続する第３の外側コネクタ２１６とを備えている。
【００３３】
次に図２を参照して、本発明の実施形態に係る撮像装置のクイックレビューの設定方法について説明する。
【００３４】
図２（Ａ）乃至（Ｅ）は、本発明の実施形態に係る撮像装置において、クイックレビューに関する設定を行うための設定表示画面の一例を示す図である。
【００３５】
操作部７４のメニューボタンをオンすると、表示部５４に撮像装置に関する各種設定画面が表示される。クイックレビューに関する設定を行う場合は、初めに操作部７４の「右」ボタン或は「左」ボタンを操作し、「撮影」「再生」「セットアップ」「カスタマイズ」の中から「再生」を選択する。続いて操作部７４の「上」ボタン或は「下」ボタンを操作して、設定したいメニュー項目を選択する。メニュー項目の右側には、現在設定されているメニュー内容が表示されている（図２（Ａ））。
【００３６】
ここでクイックレビューの設定を行う場合、操作部７４の「上」ボタン或は「下」ボタンを操作して、メニュー項目の「画像の確認」を選択する。この状態で操作部７４のセットボタンをオンすると、メニュー項目「画像の確認」の選択項目である「切」或は「入」がに表示される（図２（Ｂ））。この状態で操作部７４の「上」ボタン或は「下」ボタンを操作してカーソルを移動させ、クイックレビューを行わない場合は「切」を、クイックレビューを行う場合は「入」を選択し、再度操作部７４のセットボタンをオンする。こうしてクイックレビューを行うかどうかを設定できる。またクイックレビューの表示時間を変更する場合、操作部７４の「上」ボタン或は「下」ボタンを操作して、メニュー項目の「画像の確認時間」を選択して、操作部７４のセットボタンをオンする（図２（Ｃ））。ここで操作部７４の「右」ボタン或は「左」ボタンを操作すると、画像の確認時間が変更されるので、撮影者は所望の確認時間を選択して操作部７４のセットボタンをオンする。図２（Ｃ）の例では、表示時間が５秒に設定されている。
【００３７】
クイックレビュー時に確認する内容を変更する場合、操作部７４の「上」ボタン或は「下」ボタンを操作して、メニュー項目の「画像の確認内容」を選択して操作部７４のセットボタンをオンする。ここでは「画像の確認内容」の選択項目（抽出条件）として「時間」と「人物」、「輝度」と「ズーム」が表示される（図２（Ｄ））。この状態で操作部７４の「上」ボタン或は「下」ボタンを操作してカーソルを移動させ、撮影開始から撮影終了まで所定時間毎の撮影画像を確認したい場合は「時間」を選択する。また人物が所定以上の大きさで撮影されている場面を確認したい場合は「人物」を選択する。また動画撮影中に大きく輝度が変化した場面を確認したい場合は「輝度」、また動画撮影中にズーム操作が行われた場面（ズーム操作の有無）を確認したい場合は「ズーム」を選択する。そして再度操作部７４のセットボタンをオンする。これにより、クイックレビューとして抽出される画像を指定することができる。
【００３８】
次に、クイックレビューの表示方法を変更する場合は、操作部７４の「上」ボタン或は「下」ボタンを操作して「画像の表示」を選択し、操作部７４のセットボタンをオンする。この「画像の表示」の選択項目として、「順次」と「分割／静止画」、「分割／動画」が表示される（図２（Ｅ））。この状態で操作部７４の「上」ボタン或は「下」ボタンを操作してカーソルを移動させ、撮影画像を１つずつ撮影順に表示したい場合は「順次」を選択する。また複数の撮影画像を同時に静止画で表示したい場合は「分割／静止画」を、複数の撮影画像を同時に動画で表示したい場合は「分割／動画」をそれぞれ選択する。
【００３９】
このようにして操作部７４を使用して入力、設定されたクイックレビューに関する各種設定は、不揮発性メモリ５６に記憶され、クイックレビュー用画像データの作成時、及びクイックレビュー時に参照される。尚、以下に説明する実施形態１〜５では、図２に示す画像の確認内容、画像の表示の選択に対応した処理を実行する。
【００４０】
次に図３乃至図６を参照して本発明の実施形態１に係る撮像装置の動作を説明する。
【００４１】
図３は、本発明の実施形態１に係る撮像装置の動作及び処理手順を示すフローチャートである。尚、この処理を実行するプログラムはＲＯＭ５０２に記憶されており、ＣＰＵ５０１の制御の下に実行される。従って、以下の説明における各ステップの動作主体はＣＰＵ５０１である。この実施の形態１では、動画撮影中に、所定時間が経過する度に、クイックレビュー用の画像データを作成して記憶媒体に記憶する。またクイックレビュー時には、複数のクイックレビュー用の画像データが記憶されているときは、各画像を図２（Ｃ）で指定された時間だけ順番に再生表示する。
【００４２】
この処理は電源投入により開始され、先ずステップＳ１０１で、フラグや制御変数などを初期化し、次にステップＳ１０２で、画像表示部２８の画像表示をオフ状態に初期設定する。次にステップＳ１０３に進み、電源スイッチ６０がオンされたかどうかを判断し、電源スイッチ６０がオフであればステップＳ１０４に進み、表示部５４の表示を終了状態に変更する。そしてバリア制御部４６を介して保護部１０２のバリアを閉じ、撮像部を保護する。更に、フラグや制御変数などを含む必要なパラメータや設定値、設定モードを不揮発性メモリ５６に記録する。また電源制御部８０を制御して、画像表示部２８を含む撮像装置１００の各部の不要な電源を遮断するなどの所定の終了処理を行う。
【００４３】
一方、ステップＳ１０３で、電源スイッチ６０がオンされていた場合はステップＳ１０５に進み、モードダイヤルスイッチ６２の設定位置を判断し、動画撮影モードに設定されているか否かを判断する。ここで動画撮影モードでなければステップＳ１０６に進み、その選択されたモードに応じた処理を実行する。そして、その処理を終えるとステップＳ１０３に戻る。
【００４４】
一方、ステップＳ１０５の判断の結果、モードダイヤルスイッチ６２が動画撮影モードが指定されていると判断した場合はステップＳ１０７に進む。ステップＳ１０７では、電源制御部８０からの信号に基づいて、電源部８６の電池残容量が十分であるか、また電源の動作状況が正常であるか否かを判断する。ここで問題があると判断した場合はステップＳ１０９に進み、表示部５４を用いて、画像や音声により所定の警告表示を行ってステップＳ１０３に戻る。
【００４５】
一方、ステップＳ１０７で電池残容量や動作状況に問題がないと判断した場合はステップＳ１０８に進む。ステップＳ１０８では、記憶媒体２００或は記憶媒体２１０の動作状態が、撮像装置１００の動作、特に記憶媒体に対する画像データの記憶・再生動作に問題がないか否かを判断する。ここで問題がある場合としては、記憶媒体２００及び／或は記憶媒体２１０が撮像装置１００に装着されていない場合などが挙げられる。ここで問題があると判断した場合はステップＳ１０９へ進み、前述したように警告表示を行う。一方、ステップＳ１０８で問題がないと判断した場合はステップＳ１１０に進む。ステップＳ１１０では、ライブビュー画像（撮影する前後にファインダ機能として表示させるためのもので、撮像素子１４によって撮像された動画）を画像表示部２８に表示するための撮影準備の初期化を行う。次にステップＳ１１１に進み、タイミング発生回路１８を制御してライブビュー表示のフレームレートタイミングで撮像素子１４で得られた画像データを読み出す。そしてステップＳ１１２に進み、画像処理回路２０及びメモリ制御回路２２によってライブビュー表示用の画像処理を施し、表示用の画像データとして画像表示メモリ２４に記憶する。そしてステップＳ１１３で、画像表示メモリ２４に記憶された画像データを、メモリ制御回路２２及びＤ／Ａ変換器２６を介して画像表示部２８に表示（ライブビュー表示）する。そしてステップＳ２０１（図４）に進む。これらステップＳ１１１乃至ステップＳ１１３の動作を逐次繰り返すことにより電子ファインダ機能を実現する。
【００４６】
次に、ライブビュー表示状態における動画撮影時の撮像装置の動作について図４及び図５のフローチャートと図６を参照して説明する。
【００４７】
図４及び図５は、本発明の実施形態１に係る撮像装置１００において、動画撮影中、所定時間毎にクイックレビュー用画像を作成して画像メモリ３０に記憶する動作を示すフローチャートである。尚、この処理を実行するプログラムはＲＯＭ５０２に記憶されており、ＣＰＵ５０１の制御の下に実行される。従って、以下の説明における各ステップの動作主体はＣＰＵ５０１である。
【００４８】
また図６は、実施形態１に係る撮像装置１００において、撮影開始から終了までのクイックレビュー用画像データ作成タイミングを示す図である。
【００４９】
図４のステップＳ２０１で、モードダイヤルスイッチ６２の位置が変更されずに、動画撮影モードが選択されているか否かを判断する。ここでモードダイヤルスイッチ６２の位置が変更され、動画撮影モード以外のモードが選択されている場合は図３のステップＳ１０３へ進む。
【００５０】
一方ステップＳ２０１で、引き続き動画撮影モードが選択されている場合はステップＳ２０２に進む。ステップＳ２０２では、動画撮影ボタン７０がオンされて動画撮影が開始されたか否かを判断する。ここで動画撮影ボタン７０がオンされず動画撮影が開始されていない場合はステップＳ２０３に進み、タイミング発生回路１８によってライブビュー表示のフレームレートタイミングで、撮影された画像データを読み出す。そしてステップＳ２０４に進み、その画像データに対して、画像処理回路２０及びメモリ制御回路２２を介してライブビュー表示用の画像処理を施し画像表示メモリ２４に記憶する。そしてステップＳ２０５で、画像表示メモリ２４に記憶された画像データを、メモリ制御回路２２及びＤ／Ａ変換器２６を介して画像表示部２８に表示する。次にステップＳ２０６に進み、画像処理回路２０が撮像素子１４から得られた信号に対して所定の測光演算を行い、その演算結果をシステムメモリ５２に格納する。そして、この演算結果を基に、シャッタ制御部４０を介して絞り／シャッタ１２を駆動させ、ライブビュー画像に対するＡＥ処理を行ッてステップＳ２０１に進む。
【００５１】
一方、ステップＳ２０２で動画撮影ボタン７０がオンされて動画撮影が開始されたと判断するとステップＳ２０７に進み、画像処理回路２０が撮像素子１４から得られた信号に対して所定の測距演算を行い、その演算結果をシステムメモリ５２に格納する。そして、この演算結果を基に、測距制御部４２を用いてＡＦ処理を行い、撮影レンズ１０の焦点を被写体に合わせる。次にステップＳ２０８に進み、画像処理回路２０が撮像素子１４から得られた信号に対して所定の測光演算を行い、その演算結果をシステムメモリ５２に格納する。そしてこの演算結果を基に、シャッタ制御部４０を用いてＡＥ処理を行う。
【００５２】
次にステップＳ２０９に進み、一連の撮影動作における動画撮影処理を実行する。タイミング発生回路１８を制御して撮像素子１４により撮影した画像データを画像メモリ３０に記憶する。次にステップＳ２１０に進み、タイマ５８による計時値を「０」にして計時を開始する。次にステップＳ２１１に進み、クイックレビュー用画像データ枚数カウンタ７７のカウント値を「＋１」する。更にステップＳ２１２で、クイックレビュー用画像データ記憶フラグ７６を「１」にする。
【００５３】
次にステップＳ２１３で、ステップＳ２０９で画像メモリ３０に記憶された画像データから、記憶媒体２００或は記憶媒体２１０に記憶する画像データと、撮影終了後にクイックレビューとして表示する画像データとを作成する。記憶媒体２００或は記憶媒体２１０に記憶する画像データは、画像処理回路２０にてＪＰＥＧ形式などで所定の現像、圧縮処理がなされて再度、画像メモリ３０に記憶される。また動画撮影終了後にクイックレビューとして表示する画像データに対して、画像表示部２８の画素数及び前述のクイックレビュー表示方法の設定に基づいて、所定の現像、画素間引き、圧縮処理などの画像処理が行われる。そして、クイックレビュー用画像データ枚数カウンタ７７のカウント値（最初は「１」）に関連付けて画像メモリ３０に記憶される。
【００５４】
次にステップＳ２１４に進み、画像メモリ３０に記憶された記憶媒体２００或は記憶媒体２１０に記憶される画像データを、動画ファイルの１フレーム目として記憶媒体２００或は記憶媒体２１０の記憶領域２０２或は記憶領域２１２に記憶する。次にステップＳ２１５に進み、ステップＳ２０９で撮像素子１４から得られた画像データに、画像処理回路２０及びメモリ制御回路２２を介してライブビュー表示用の画像処理を施す。そして画像データとして画像表示メモリ２４に記憶する。次にステップＳ２１６に進み、画像表示メモリ２４に記憶された画像データを、メモリ制御回路２２及びＤ／Ａ変換器２６を介して画像表示部２８に表示してステップＳ３０１（図５）に進む。
【００５５】
ステップＳ３０１では、モードダイヤルスイッチ６２の位置が変更されずに、動画撮影モードのままであるか否かを判断する。ここでモードダイヤルスイッチ６２の位置が変更され、動画撮影モード以外のモードが選択された場合は図３のステップＳ１０３へ進む。一方ステップＳ３０１で、引き続き動画撮影モードが選択されている場合はステップＳ３０２に進む。ステップＳ３０２では、動画撮影ボタン７０が再度オンされて動画撮影の終了が指示されたか否かを判断する。ここで動画撮影ボタン７０が再度オンされて動画撮影の終了が指示された場合はステップＳ３０３に進み、クイックレビュー用画像データ枚数カウンタ７７のカウント値ＮＣが「１」であるか否かを判断する。ここでクイックレビュー用画像データ枚数カウンタ７７のカウント値ＮＣが「１」でない場合はステップＳ３０４に進み、クイックレビュー用画像データ枚数カウンタ７７のカウント値ＮＣを「＋１」してステップＳ３０５へ進む。一方、ステップＳ３０３で、クイックレビュー用画像データ枚数カウンタ７７のカウント値ＮＣが「１」であれば、所定時間ｔ１が経過して記憶されたクイックレビュー用画像データがないためステップＳ３０５に進み、クイックレビューを開始する。この場合は、ステップＳ３１７で記憶された最後のクイックレビュー用画像データだけが表示されることになる。尚、クイックレビュー動作の詳細については、図７乃至図１１を用いて詳しく後述する。
【００５６】
そしてステップＳ３０５でクイックレビュー表示を行った後ステップＳ３０６に進み、画像メモリ３０に記憶されているクイックレビュー用画像データを消去して図３のステップＳ１０３へ進む。
【００５７】
一方、ステップＳ３０２で、動画撮影が継続されていると判断した場合はステップＳ３０７に進み、画像処理回路２０が撮像素子１４から得られた画像データに対して所定の測距演算を行い、その演算結果をシステムメモリ５２に格納する。そしてこの演算結果を基に、測距制御部４２を介してＡＦ処理を行い、撮影レンズ１０の焦点を被写体に合わせる。次にステップＳ３０８に進み、画像処理回路２０が撮像素子１４から得られた画像データに対して所定の測光演算を行い、その演算結果をシステムメモリ５２に格納する。そしてこの演算結果を基に、シャッタ制御部４０を介して絞り／シャッタ１２を駆動してＡＥ処理を行う。次にステップＳ３０９に進み、タイミング発生回路１８を制御して撮像素子１４からの画像データを画像メモリ３０に記憶する。
【００５８】
次にステップＳ３１０に進み、タイマ５８の計時値が、予め設定されている所定時間ｔ１に達しているか否かを判断する。ここでタイマ５８による計時値が、所定時間ｔ１に達していない場合はステップＳ３１１に進み、クイックレビュー用画像データ記憶フラグ７６が「１」になっているか否かを判断する。ここでクイックレビュー用画像データ記憶フラグ７６が「１」である場合はステップＳ３１２に進み、その記憶フラグ７６の値を「０」にしてステップＳ３１７へ進む。一方、ステップＳ３１１で、クイックレビュー用画像データ記憶フラグ７６が「１」でない場合はステップＳ３１３に進み、ステップＳ３１７で画像メモリ３０に記憶された最も新しいクイックレビュー用画像データを消去してステップＳ３１７に進む。こうして順次記憶されたクイックレビュー用画像データの最新の画像データでは、関連付けられているクイックレビュー用画像データ枚数カウンタ７７のカウント値が最も大きい。従って、画像メモリ３０に記憶されているクイックレビュー用画像データが複数あった場合でも、最新のクイックレビュー用画像データを判別できる。
【００５９】
一方、ステップＳ３１０で、タイマ５８による計時値が所定時間ｔ１を経過した場合はステップＳ３１４に進み、タイマ５８を「０」にして再度タイマ５８による所定時間ｔ１の計時を開始する。次にステップＳ３１５に進み、クイックレビュー用画像データ枚数カウンタ７７のカウント値ＮＣを「＋１」する。更にステップＳ３１６に進み、クイックレビュー用画像データ記憶フラグ７６を「１」にする。次にステップＳ３１７で、ステップＳ３０９で画像メモリ３０に記憶された画像データから、記憶媒体２００或は記憶媒体２１０に記憶する画像データを作成する。またクイックレビューとして表示する画像データを作成する。そして、その作成した画像データを画像処理回路２０にて所定の画像処理を行い、再度画像メモリ３０に記憶する。またクイックレビューとして表示する画像データを、画像表示部２８の画素数及び前述のクイックレビュー表示方法の設定に基づいて画像処理を行って作成する。そしてその画像データを、クイックレビュー用画像データ枚数カウンタ７７のカウント値ＮＣに関連付けて画像メモリ３０に記憶する。次にステップＳ３１８に進み、画像メモリ３０に記憶された画像データを動画ファイルを構成する画像データとして記憶媒体２００或は記憶媒体２１０の記憶領域に書き込む。次にステップＳ３１９に進み、ステップＳ３０９にて撮像素子１４から得られた画像データに対して画像処理回路２０及びメモリ制御回路２２を介してライブビュー表示用の画像処理を施して画像表示メモリ２４に記憶する。そしてステップＳ３２０で、その画像表示メモリ２４に記憶された画像データを、メモリ制御回路２２及びＤ／Ａ変換器２６を介して画像表示部２８に表示する。
【００６０】
以上説明したように本実施形態１に係る撮像装置によれば、図６のように、動画撮影中、所定時間ｔ１毎にクイックレビュー用画像データを作成して記憶できる。よって、動画撮影後のクイックレビュー時には、撮影開始時と撮影終了時、及び所定時間ｔ１おきに撮影した動画を確認できるので、撮影した動画全体を確認できる。
【００６１】
図６は、実施形態１におけるクイックレビュー用画像データの作成タイミングを説明する図である。
【００６２】
この例では、動画撮影の開始時と終了時、及び動画撮影中では、時間ｔ１ごとにクイックレビュー用画像データが作成されて記憶されている。
【００６３】
またこのような構成の撮像装置では、動画撮影開始時と動画撮影終了時の画像データをクイックレビューとして表示できるので、動画撮影開始時の画像と、動画撮影終了時の画像を確認することが可能である。
【００６４】
次に、図７乃至図１１を参照して、本発明の実施形態１に係る撮像装置のクイックレビュー表示動作について説明する。まずはじめに、図７及び図８を参照して、クイックレビュー用画像データを１つずつ撮影順に従って順次表示する場合のクイックレビュー動作について説明する。
【００６５】
図７は、本実施形態１に係る撮像装置におけるクイックレビュー動作を示すフローチャートである。尚、この処理を実行するプログラムはＲＯＭ５０２に記憶されており、ＣＰＵ５０１の制御の下に実行される。従って、以下の説明における各ステップの動作主体はＣＰＵ５０１である。
【００６６】
図８は、本実施形態１に係る撮像装置におけるクイックレビューのタイミングを示すタイミング図である。
【００６７】
まずステップＳ４０１で、クイックレビュー用画像データ枚数カウンタ７７のカウント値ＮＣと、操作部７４によって撮影者に予め設定されたクイックレビュー表示時間Ｔとから、１クイックレビュー用画像データ当たりの表示時間Ｔ１を算出する。図２の例では、クイックレビュー表示時間Ｔは５秒である。従って、カウンタ７７のカウント値ＮＣが「５」であれば、表示時間Ｔ１は１秒となる。次にステップＳ４０２に進み、画像メモリ３０からクイックレビュー用画像データ枚数カウンタ７７のカウント値「１」と関連付けられているクイックレビュー用画像データを読み出し、メモリ制御回路２２及びＤ／Ａ変換器２６を介して画像表示部２８に表示する。次にステップＳ４０３で、タイマ５８による計時を開始し、クイックレビュー用画像データ表示枚数カウンタ７８のカウント値ＮＳを「１」にする。そしてステップＳ４０５に進み、タイマ５８による計時値が、ステップＳ４０１で求めた１クイックレビュー用画像データ当たりの表示時間Ｔ１に達しているか否かを判断する。ここでタイマ５８による計時値が表示時間Ｔ１に達していない場合は、このステップＳ４０５の判断動作を繰り返す。そしてタイマ５８による計時値が表示時間Ｔ１となるとステップＳ４０６に進む。ステップＳ４０６では、クイックレビュー用画像データ表示枚数カウンタ７８のカウント値ＮＳがクイックレビュー用画像データ枚数カウンタ７７のカウント値ＮＣと同じか否かを判断する。ここで表示枚数カウンタ７８のカウント値ＮＳがクイックレビュー用画像データ枚数カウンタ７７のカウント値ＮＣと同じであると判断すると、クイックレビュー用に格納している画像データを全て表示したことになるのでクイックレビューは終了となる。
【００６８】
一方、ステップＳ４０６で、表示枚数カウンタ７８のカウント値ＮＳがクイックレビュー用画像データ枚数カウンタ７７のカウント値ＮＣに達していない場合はステップＳ４０７に進む。ステップＳ４０７では、画像メモリ３０からクイックレビュー用画像データ枚数カウンタ７７のカウント値「ＮＳ＋１」と関連付けられているのクイックレビュー用画像データを読み出す。そしてメモリ制御回路２２及びＤ／Ａ変換器２６を介して画像表示部２８に表示する。そしてステップＳ４０８に進み、タイマ５８による計時値を「０」にして再度タイマ５８による計時を開始する。次にステップＳ４０９に進み、クイックレビュー用画像データ表示枚数カウンタ７８のカウント値ＮＳを「＋１」した後、ステップＳ４０５へ進んで、表示時間Ｔ１の間、そのクイックレビュー用画像データの表示を行う。以上の処理をクイックレビュー用画像データ枚数カウンタ７７のカウント値ＮＣで表される枚数分実行すると、この処理を終了する。
【００６９】
これにより図８に示すように、撮影者が予め設定したクイックレビュー表示時間Ｔの間に、クイックレビュー用の画像データとして記憶された画像が順次、その撮影された時間順に表示される。
【００７０】
次に図９乃至図１１を参照して、クイックレビュー用画像データの内、複数の画像を同時に表示する場合のクイックレビュー動作について説明する。
【００７１】
図９は、本実施形態１に係る撮像装置で、クイックレビュー用画像データの内、複数の画像を同時に表示する場合のクイックレビュー動作を示すフローチャートである。尚、この処理を実行するプログラムはＲＯＭ５０２に記憶されており、ＣＰＵ５０１の制御の下に実行される。従って、以下の説明における各ステップの動作主体はＣＰＵ５０１である。
【００７２】
図１０は、クイックレビュー用画像データの複数を同時に表示する場合の画像表示部２８の表示内容の一例を示す図である。
【００７３】
また図１１は、画像表示部２８にクイックレビュー用画像データの複数を同時に表示する場合のクイックレビュー動作タイミングを示す図である。
【００７４】
クイックレビュー用画像データが所定数以上ある場合、画像表示部２８に表示される１画像データ当たりの表示面積が大変小さくなるため画像の確認が困難になる。そのため本実施形態１では、クイックレビュー時に表示する画像データ数を「９」を上限としている。よって、クイックレビュー用画像データ枚数カウンタ７７のカウント値ＮＣが「１」乃至「９」の場合、クイックレビュー表示フレーム数Ｎｆは「１」となって、１つの画面で全ての記憶しているクイックレビュー用画像データを表示できる。また、クイックレビュー用画像データ枚数カウンタ７７のカウント値ＮＣが「１０」乃至「１８」の場合は、クイックレビュー表示フレーム数Ｎｆは「２」となり、２つの画面を切り換えることにより、記憶しているクイックレビュー用画像データを全て表示できる。それ以上の場合も同様である。
【００７５】
図９で、先ずステップＳ５０１で、クイックレビュー用画像データ枚数カウンタ７７のカウント値ＮＣが「９」より大きい値か否かを判断する。ここでクイックレビュー用画像データ枚数カウンタ７７のカウント値ＮＣが「９」以下であった場合はステップＳ５０２に進む。ステップＳ５０２では、画像表示部２８の表示可能面積とクイックレビュー用画像データ枚数カウンタ７７のカウント値ＮＣから１クイックレビュー用画像データ当たりの表示面積を算出する。次にステップＳ５０３に進み、その算出した１クイックレビュー用画像データ当たりの表示面積を基に、画像処理回路２０によりクイックレビュー用画像データに画像処理を施す。そして画像メモリ３０に記憶されている全てのクイックレビュー用画像データを同時に表示するクイックレビュー表示画像データを作成する。そしてステップＳ５０４に進み、メモリ制御回路２２及びＤ／Ａ変換器２６を介して画像表示部２８に表示する。次にステップＳ５０５に進み、タイマ５８による計時を開始する。そしてステップＳ５０６で、撮影者によって予め設定されているクイックレビュー表示時間Ｔが経過したかを調べ、タイマ５８による計時値が表示時間Ｔを越えると、このクイックレビュー動作を終了する。
【００７６】
一方、ステップＳ５０１で、クイックレビュー用画像データ枚数カウンタ７７のカウント値ＮＣが「９」より大きかった場合はステップＳ５０７に進む。ステップＳ５０７では、クイックレビュー用画像データ枚数カウンタ７７のカウント値ＮＣを基に、クイックレビュー表示フレーム数Ｎｆを算出する。次にステップＳ５０８に進み、クイックレビュー表示フレーム数Ｎｆと操作部７４によって撮影者に予め設定されたクイックレビュー表示時間Ｔとから、１クイックレビュー表示当たりのクイックレビュー表示時間Ｔ２を算出する。そしてステップＳ５０９に進み、１クイックレビュー用画像データ当たりの表示面積、及びクイックレビュー表示フレーム数Ｎｆを基に、画像処理回路２０により、クイックレビュー用画像データに画像処理を施す。そして、そのフレームに表示する全てのクイックレビュー表示画像データを作成する。次にステップＳ５１０に進み、メモリ制御回路２２及びＤ／Ａ変換器２６を介して、１フレーム目のクイックレビュー表示画像データを画像表示部２８に表示する。この時、画像表示部２８には図１０に示すように、９分割された画像エリアに各クイックレビュー画像が表示される。
【００７７】
次にステップＳ５１１に進み、タイマ５８による計時を開始する。そしてステップＳ５１２に進み、クイックレビュー用画像データ表示枚数カウンタ７８のカウント値ＮＳを「１」にする。そしてステップＳ５１３に進み、タイマ５８による計時値がステップＳ５０８で算出された、１クイックレビュー表示当たりのクイックレビュー表示時間Ｔ２に達しているか否かを判断する。ここでタイマ５８による計時値がクイックレビュー表示時間Ｔ２に達していないと判断するとステップＳ５１３の処理を繰り返して、現時点でのクイックレビュー表示を継続する。
【００７８】
そしてステップＳ５１３で、タイマ５８による計時値が１クイックレビュー表示画像データ当たりのクイックレビュー表示時間Ｔ２に達したと判断した場合はステップＳ５１４に進む。ステップＳ５１４では、クイックレビュー用画像データ枚数カウンタ７７のカウント値ＮＳがクイックレビュー表示フレーム数Ｎｆと同じか否かを判断する。ここで表示枚数カウンタ７８のカウント値ＮＳがクイックレビュー表示フレーム数Ｎｆと同じであると判断すると、クイックレビュー動作は終了となる。一方ステップＳ５１４で、カウント値ＮＳがクイックレビュー表示フレーム数Ｎｆに達していないと判断した場合はステップＳ５１５に進む。ステップＳ５１５では、メモリ制御回路２２及びＤ／Ａ変換器２６を介して、次フレームのクイックレビュー表示画像データを画像表示部２８に表示する。そしてステップＳ５１６で、タイマ５８による計時を開始し、ステップＳ５１７でクイックレビュー用画像データ表示枚数カウンタ７８のカウント値ＮＳを「＋１」にした後ステップＳ５１３へ進む。
【００７９】
以上説明したように実施形態１によれば、撮影開始時、撮影中の所定時間毎、及び撮影終了時に撮影した動画の静止画データを画像メモリ３０に記憶し、動画撮影後のクイックレビュー用画像データとして記憶して表示できる。これにより撮影者は、撮影した動画の全体を確認できる。
【００８０】
また複数のクイックレビュー用画像データが存在する場合、それらを複数の全て或は幾つかを同時に表示できる。また或は、各クイックレビュー用画像データを時間順に順次表示することもできる。
【００８１】
［実施形態２］
実施形態２では、動画撮影中、主被写体が所定以上大きく撮影された場合にクイックレビュー用画像データとして画像メモリ３０に記憶し、クイックレビューとして画像表示部２８に表示する動作について説明する。尚、本実施形態２に係る撮像装置の構成は、前述の実施形態１に係る撮像装置１００と同じである。また本実施形態２でも、図３のステップＳ１０１乃至ステップＳ１１３、図４のステップＳ２０１乃至ステップＳ２１６と同じ処理を実行するため、それらの説明を省略する。
【００８２】
図１２は、本発明の実施形態２に係る撮像装置１００において、動画撮影中、主被写体が所定以上大きく撮影された場合にクイックレビュー用画像データを作成して記憶する動作を示すフローチャートである。尚、本実施形態２では、主被写体を人物として説明する。尚、この処理を実行するプログラムはＲＯＭ５０２に記憶されており、ＣＰＵ５０１の制御の下に実行される。従って、以下の説明における各ステップの動作主体はＣＰＵ５０１である。
【００８３】
この処理は図４のステップＳ２１６でライブビュー画像が表示された後の処理として示されており、ステップＳ６０１で、モードダイヤルスイッチ６２の位置が変更されずに、動画撮影モードが継続されているか否かを判断する。ここでモードダイヤルスイッチ６２の位置が変更され、動画撮影モード以外のモードが選択された場合は図３のステップＳ１０３へ進む。一方、ステップＳ６０１で、引き続き動画撮影モードが選択されている場合はステップＳ６０２に進み、動画撮影ボタン７０が再度オンされて動画撮影の終了が指示されたか否かを判断する。ここで動画撮影の終了が指示されるとステップＳ６０３に進み、クイックレビュー用画像データ枚数カウンタ７７のカウント値ＮＣが「１」であるか否かを判断する。ここでカウント値ＮＣが「１」でなかった場合はステップＳ６０４に進み、クイックレビュー用画像データ枚数カウンタ７７のカウント値ＮＣを「＋１」してステップＳ６０５へ進む。
【００８４】
一方、ステップＳ６０３で、クイックレビュー用画像データ枚数カウンタ７７のカウント値ＮＣが「１」であった場合はステップＳ６０５に進み、クイックレビューを開始する。ここではクイックレビュー表示を行った後ステップＳ６０６に進み、画像メモリ３０に記憶されているクイックレビュー用画像データを消去して図３のステップＳ１０３へ進む。
【００８５】
一方、ステップＳ６０２で、動画撮影が継続されていると判断するとステップＳ６０７に進み、画像処理回路２０により、撮像素子１４から得られた画像データに対して所定の測距演算を行い、その演算結果をシステムメモリ５２に格納する。そして、この演算結果を基に、測距制御部４２を介してＡＦ処理を行い、撮影レンズ１０の焦点を被写体に合わせる。次にステップＳ６０８に進み、撮像素子１４から得られた画像データに対して、画像処理回路２０により所定の測光演算を行い、その演算結果をシステムメモリ５２に格納する。そしてこの演算結果を基に、シャッタ制御部４０を介して絞り／シャッタ１２を駆動させるＡＥ処理を行う。次にステップＳ６０９に進み、タイミング発生回路１８を制御して撮像素子１４からの信号を画像データに変換して画像メモリ３０に記憶する。そしてステップＳ６１０に進み、画像メモリ３０に記憶された画像データから、記憶媒体２００或は記憶媒体２１０に記録する画像データを作成する。そして画像処理回路２０により所定の画像処理を行い、再度画像メモリ３０に記憶する。次にステップＳ６１１に進み、画像メモリ３０に記憶された画像データを、動画ファイルを構成する画像データとして記憶媒体２００或は記憶媒体２１０の記憶領域に書き込んで記憶する。
【００８６】
次にステップＳ６１２に進み、作成された画像データに人物の顔が撮影されているか否かを判断する。このように画像データに人物の顔が撮影されているか否かを判断する方法としては、人物の顔の要素である、目及び鼻、口の位置を検知して判断する顔検知技術が広く知られている。ここで、撮影された画像データに人物の顔が含まれていないと判断した場合はステップＳ６１５へ進む。一方、ステップＳ６１２で、その画像データに人物の顔が含まれていると判断した場合はステップＳ６１３に進み、その画像データにおいて、撮影された人物の顔が占める面積の割合を算出する。そして、人物の顔が占める面積の割合が、画像データ全体の所定値以上か否かを判断する。本実施形態２では、この所定値を「１／３」とする。人物の顔が占める面積の割合が画像データ全体に対して１／３以上か否かを判断する方法としては、前述の顔検知技術を用いることが可能である。またステップＳ６１２における目及び鼻、口の位置検知結果から、目、鼻、口それぞれの距離を計測し、顔の大きさを算出する。その算出結果から、画像データ全体に占める顔の割合が算出することが出来る。
【００８７】
こうしてステップＳ６１３で、撮影された人物の顔が占める面積の割合が「１／３」より小さいと判断するとステップＳ６１５に進むが、そうでないときはステップＳ６１４に進む。ステップＳ６１４では、直前のフレームの画像と現フレームの画像との間での変化量が所定量以上であるかどうかを判断する。ここで変化量が所定量以上でなければステップＳ６１５に進む。ステップＳ６１５では、クイックレビュー用画像データ記憶フラグ７６が「１」になっているか否かを判断する。ここでクイックレビュー用画像データ記憶フラグ７６が「１」である場合はステップＳ６１６に進み、クイックレビュー用画像データ記憶フラグ７６の値を「０」にしてステップＳ６２１へ進む。またステップＳ６１５で、クイックレビュー用画像データ記憶フラグ７６が「１」でない場合はステップＳ６１７に進み、画像メモリ３０に記憶されている最も新しいクイックレビュー用画像データを消去してステップＳ６２１へ進む。
【００８８】
一方、ステップＳ６１４で、直前のフレームの画像と現フレームの画像との間での変化量が所定量以上であればステップＳ６１９に進み、クイックレビュー用画像データ枚数カウンタ７７のカウント値ＮＣを「＋１」する。更にステップＳ６２０に進み、クイックレビュー用画像データ記憶フラグ７６を「１」にする。
【００８９】
次にステップＳ６２１に進み、ステップＳ６０９で画像メモリ３０に記憶された画像データから、撮影終了後にクイックレビューとして表示する画像データを作成する。ここでは画像表示部２８の画素数及び前述のクイックレビュー表示方法の設定に基づいて画像処理を行った後、クイックレビュー用画像データ枚数カウンタ７７のカウント値ＮＣに関連付けて画像メモリ３０に記憶する。次にステップＳ６２２に進み、撮像素子１４から得られた画像データに、画像処理回路２０及びメモリ制御回路２２を介してライブビュー表示用の画像処理を施して画像表示メモリ２４に記憶する。そしてステップＳ６２３に進み、画像表示メモリ２４に記憶された画像データを、メモリ制御回路２２及びＤ／Ａ変換器２６を介して画像表示部２８に表示する。
【００９０】
以上説明したように実施形態２によれば、主被写体の画像データ全体に占める割合が所定値以上の場合、その画像データを画像メモリ３０に記憶し、動画撮影後のクイックレビュー用画像データとして画像表示部２８に表示する。これにより撮影者は、撮影した動画の重要箇所を確認することが出来る。また、撮影開始時及び撮影終了時も画像データを画像メモリ３０に記憶し、動画撮影後のクイックレビュー用画像データとして表示するので、撮影した動画の全体を確認することができる。
【００９１】
尚、図１２のステップＳ６１４で、タイマ５８による計時値を基に所定時間が経過したかどうかを判定する。こうして撮影された人物の顔が占める面積の割合が「１／３」である状態で、且つ所定時間Ｔ１が経過したときにクイックレビュー用画像データを記憶するようにしても良い。この場合はステップＳ６１４で所定時間が経過したと判定すると、次のステップでタイマ５８を初期化する必要がある。これにより、撮影された人物の顔が占める面積の割合が大きい状態が長く続いても、クイックレビュー用画像データとして記憶される画像の数を少なく抑えることができる。
【００９２】
［実施形態３］
次に図３及び図４及び図１３乃至図１５を参照して本発明の実施形態３を説明する。この実施形態３では、動画撮影中にズームした場合、クイックレビュー用画像データを画像メモリ３０に記憶し、クイックレビューとして画像表示部２８に表示する。尚、本実施形態３に係る撮像装置は、前述の実施形態１に係る撮像装置１００と同じ構成を有し、前述の図３のステップＳ１０１乃至ステップＳ１１３、図４のステップＳ２０１乃至ステップＳ２１６と同じ処理を実行するため、それらの説明を省略する。
【００９３】
図１３及び図１４は、本発明の実施形態３に係る撮像装置１００において、動画撮影中にズームした場合、クイックレビュー用画像データを作成して画像メモリ３０に記憶する動作を説明するフローチャートである。尚、この処理を実行するプログラムはＲＯＭ５０２に記憶されており、ＣＰＵ５０１の制御の下に実行される。従って、以下の説明における各ステップの動作主体はＣＰＵ５０１である。
【００９４】
また図１５は、本発明の実施形態３に係る撮像装置１００の、撮影開始から終了までのクイックレビュー用画像データ作成タイミングを示す図である。
【００９５】
図１３に示す処理は、図４のステップＳ２１６でライブビュー画像が表示されるた後の処理であり、ステップＳ７０１で、モードダイヤルスイッチ６２の位置が変更されずに、動画撮影モードのままであるか否かを判断する。ここでモードダイヤルスイッチ６２の位置が変更されて動画撮影モード以外のモードが選択された場合は図３のステップＳ１０３へ進む。一方、ステップＳ７０１で、引き続き動画撮影モードが選択されている場合はステップＳ７０２に進み、動画撮影ボタン７０が再度オンされて動画撮影の終了が指示されたか否かを判断する。動画撮影の終了が指示された場合はステップＳ７０３に進み、クイックレビュー用画像データ枚数カウンタ７７のカウント値ＮＣが「１」であるか否かを判断する。ここで枚数カウンタ７７のカウント値ＮＣが「１」でなかった場合はステップＳ７０４に進み、クイックレビュー用画像データ枚数カウンタ７７のカウント値ＮＣを＋１してステップＳ７０５へ進む。一方、ステップＳ７０３で、枚数カウンタ７７のカウント値ＮＣが「１」であった場合はステップＳ７０５に進み、クイックレビューを開始する。このステップＳ７０５の処理は図５のステップＳ３０５の処理と同じである。こうしてステップＳ７０５でクイックレビュー表示を行った後、ステップＳ７０６に進み、画像メモリ３０に記憶されているクイックレビュー用画像データを消去して図３のステップＳ１０３へ進む。
【００９６】
一方、ステップＳ７０２で、動画撮影が継続されている場合はステップＳ７０７に進み、撮像素子１４から得られた画像データに対して画像処理回路２０により所定の測距演算を行い、その演算結果をシステムメモリ５２に格納する。そして、この演算結果を基に、測距制御部４２を介してＡＦ処理を行い、撮影レンズ１０の焦点を被写体に合わせる。次にステップＳ７０８に進み、撮像素子１４から得られた画像データに対して、画像処理回路２０により所定の測光演算を行い、その演算結果をシステムメモリ５２に格納する。そして、この演算結果を基に、シャッタ制御部４０を介して絞り／シャッタ１２を駆動させるＡＥ処理を行う。次にステップＳ７０９に進み、タイミング発生回路１８を制御して撮像素子１４出撮影された画像データを画像メモリ３０に記憶する。
【００９７】
次にステップＳ７１０に進み、ズームボタン７２がオンされているか否かを判断する。ここでズームボタン７２がオンされているとステップＳ７１１に進み、ステップＳ７０９で画像メモリ３０に記憶された画像データから、記憶媒体に記憶する画像データと、撮影終了後にクイックレビューとして表示する画像データとを作成する。ここで記憶媒体に記憶する画像データは、画像処理回路２０にて所定の画像処理が行われて再度画像メモリ３０に記憶される。またクイックレビューとして表示される画像データは、画像表示部２８の画素数及びクイックレビュー表示方法の設定に基づいて画像処理が行われる。その後、クイックレビュー用画像データ枚数カウンタ７７のカウント値ＮＣに関連付けて画像メモリ３０に記憶される。次にステップＳ７１２に進み、画像メモリ３０に記憶された記憶媒体に記憶される画像データを動画ファイルを構成する画像データとして記憶媒体に記憶する。次にステップＳ７１３に進み、ステップＳ７０９で得られた画像データに対して画像処理回路２０及びメモリ制御回路２２を介してライブビュー表示用の画像処理が施され、画像データとして画像表示メモリ２４に記憶される。そしてステップＳ７１４に進み、この画像表示メモリ２４に記憶された画像データを、メモリ制御回路２２及びＤ／Ａ変換器２６を介して画像表示部２８に表示する。そして図１４のステップＳ８０１に進む。
【００９８】
一方、ステップＳ７１０で、ズームボタン７２がオンされていなかった場合はステップＳ７１５に進み、クイックレビュー用画像データ記憶フラグ７６が「１」になっているか否かを判断する。ここでクイックレビュー用画像データ記憶フラグ７６が「１」であればステップＳ７１６に進み、クイックレビュー用画像データ記憶フラグ７６の値を「０」にしてステップＳ７１８に進む。一方、ステップＳ７１５で、クイックレビュー用画像データ記憶フラグ７６が「１」でなかった場合はステップＳ７１７に進み、画像メモリ３０に記憶されている最も新しいクイックレビュー用画像データを消去してステップＳ７１８に進む。ステップＳ７１８では、ステップＳ７０９で画像メモリ３０に記憶された画像データから、記憶媒体に記憶する画像データとイックレビュー用画像データとを作成する。そしてこれら画像データを、画像処理回路２０により所定の画像処理を行って画像メモリ３０に記憶する。次にステップＳ７１９に進み、画像メモリ３０に記憶された記憶媒体に記憶される画像データを、動画ファイルを構成する画像データとして記憶媒体に記憶する。次にステップＳ７２０に進み、ステップＳ７０９で得られた画像データに、画像処理回路２０及びメモリ制御回路２２を介してライブビュー表示用の画像処理を施して画像表示メモリ２４に記憶する。そしてステップＳ７２１に進み、この画像表示メモリ２４に記憶された画像データを、メモリ制御回路２２及びＤ／Ａ変換器２６を介して画像表示部２８に表示する。そして、ステップＳ７０１へ戻る。
【００９９】
次に図１３のステップＳ７１４から進んだ図１４のステップＳ８０１では、モードダイヤルスイッチ６２の位置が変更されずに動画撮影モードが選択されているか否かを判断する。ここで、モードダイヤルスイッチ６２の位置が変更され、動画撮影モード以外のモードが選択されている場合は図３のステップＳ１０３へ進む。
【０１００】
一方ステップＳ８０１で、引き続き動画撮影モードが選択されている場合はステップＳ８０２に進み、動画撮影ボタン７０が再度オンされて動画撮影の終了が指示されたか否かを判断する。ここで動画撮影の終了が指示された場合はステップＳ８０３に進み、クイックレビュー用画像データ枚数カウンタ７７のカウント値ＮＣが「１」であるか否かを判断する。ここで枚数カウンタ７７のカウント値ＮＣが「１」でなかった場合はステップＳ８０４で、クイックレビュー用画像データ枚数カウンタ７７のカウント値ＮＣを＋１してステップＳ８０５へ進む。一方、ステップＳ８０３で、クイックレビュー用画像データ枚数カウンタ７７のカウント値ＮＣが「１」である場合はステップＳ８０５に進んで、クイックレビューを開始する。そしてクイックレビュー表示を行った後ステップＳ８０６に進み、画像メモリ３０に記憶されているクイックレビュー用画像データを消去して図３のステップＳ１０３へ進む。
【０１０１】
またステップＳ８０２で、動画撮影が継続されている場合はステップＳ８０７に進み、撮像素子１４から得られた画像データに対して画像処理回路２０が所定の測距演算を行い、その演算結果をシステムメモリ５２に格納する。そして、この演算結果を基に、測距制御部４２を介してＡＦ処理を行い、撮影レンズ１０の焦点を被写体に合わせる。次にステップＳ８０８に進み、撮像素子１４から得られた画像データに対して画像処理回路２０が所定の測光演算を行い、その演算結果をシステムメモリ５２に格納する。そして、この演算結果を基に、シャッタ制御部４０を介して絞り／シャッタ１２を駆動させてＡＥ処理を行う。次にステップＳ８０９に進み、タイミング発生回路１８を制御して、撮像素子１４で撮影された画像データを画像メモリ３０に記憶する動画撮影処理を実行する。
【０１０２】
次にステップＳ８１０で、ズームボタン７２がオンされているか否かを判断する。ここでズームボタン７２がオンされているとステップＳ７１０でオンされた状態が継続しているためステップＳ８１１に進み、クイックレビュー用画像データ記憶フラグ７６が「１」になっているか否かを判断する。ここでクイックレビュー用画像データ記憶フラグ７６が「１」であればステップＳ８１２に進み、クイックレビュー用画像データ記憶フラグ７６の値を「０」にしてステップＳ８１４へ進む。一方、ステップＳ８１１で、クイックレビュー用画像データ記憶フラグ７６が「１」でなかった場合はステップＳ８１３に進み、画像メモリ３０に記憶されている最も新しいクイックレビュー用画像データを消去してステップＳ８１４に進む。これらステップＳ８１１〜Ｓ８１３の処理により、前のフレームで、クイックレビュー用画像データとして記憶された画像データを消去する。
【０１０３】
次にステップＳ８１４に進み、前述の図４のステップＳ２１３（図３のＳ３１７、図１３のＳ７１１等）と同様の処理を行う。即ち、画像メモリ３０に記憶された画像データから、記憶媒体に記憶する画像データと、撮影終了後にクイックレビューとして表示する画像データとを作成する。そして記憶媒体に記憶する画像データは、画像処理回路２０にて所定の画像処理を行って再度画像メモリ３０に記憶される。またクイックレビューとして表示する画像データの画像処理を行った後、クイックレビュー用画像データ枚数カウンタ７７のカウント値ＮＣと関連付けて画像メモリ３０に記憶する。次にステップＳ８１５に進み、画像メモリ３０に記憶された記憶媒体に記憶される画像データを記憶媒体に記憶する。次にステップＳ８１６に進み、ライブビューとして表示する画像データを画像表示メモリ２４に記憶する。そしてステップＳ８１７で、その画像表示メモリ２４に記憶された画像データを、メモリ制御回路２２及びＤ／Ａ変換器２６を介して画像表示部２８に表示して図１３のステップＳ７０１へ戻る
一方、ステップＳ８１０で、ズームボタン７２がオフされたと判断した場合はステップＳ８１８に進み、クイックレビュー用画像データ枚数カウンタ７７のカウント値ＮＣを「＋１」する。そしてステップＳ８１９に進み、クイックレビュー用画像データ記憶フラグ７６を「１」にしてステップＳ８２０に進む。ステップＳ８２０では、ステップＳ８１４と同様に、画像メモリ３０に記憶された画像データから、記憶媒体に記憶する画像データと、撮影終了後にクイックレビューとして表示する画像データの２つの画像データを作成する。そしてステップＳ８２１で、画像メモリ３０に記憶された記憶媒体に記憶する画像データを、動画ファイルを構成する画像データとして記憶媒体に記憶する。次にステップＳ８２２に進み、ステップＳ８０９で撮像素子１４から得られた画像データに対して、画像処理回路２０及びメモリ制御回路２２を介してライブビュー表示用の画像処理を施し画像データとして画像表示メモリ２４に記憶する。そしてステップＳ８２３に進み、その画像表示メモリ２４に記憶された画像データを、メモリ制御回路２２及びＤ／Ａ変換器２６を介して画像表示部２８に表示してステップＳ７０１（図１３）へ戻る。
【０１０４】
図１５は、本発明の実施形態３に係るクイックレビュー画像を抽出する画像データ抽出タイミングを示す図である。
【０１０５】
ここでは、動画撮影中にズームボタン７２がオンされた後、ズームボタン７２がオフされてズームが終了したすると、その時点の画像データをクイックレビュー用画像データとして画像メモリ３０に記憶する。そしてそのクイックレビュー用画像データを、動画撮影後のクイックレビュー用画像として画像表示部２８に表示する。これは、ズーム操作前後では撮影場面や構図が変化していることが多く、その状態で撮影された画像は重要な場面を写した画像であると推測できる。こうして撮影者は、撮影した動画の重要箇所を容易に確認することができる。
【０１０６】
以上説明したように本実施形態３に係る撮像装置では、撮影者は撮影した動画の重要箇所であると思われるズームした際の画像をクイックレビューとして確認できる。
【０１０７】
また撮影開始時及び撮影終了時も画像データを画像メモリ３０に記憶し、動画撮影後のクイックレビュー用画像データとして表示するので、撮影した動画の全体を確認することができる。
【０１０８】
［実施形態４］
次に本発明の実施形態４を、図３、図４及び図１６、図１７を参照して説明する。
【０１０９】
この実施形態４では、動画撮影中に輝度が所定値以上変化した場合、クイックレビュー用画像データとして画像メモリ３０に記憶し、クイックレビューとして画像表示部２８に表示する動作について説明する。尚、本実施形態４に係る撮像装置１００の内部構成は実施形態１と同じであり、また実施形態１の図３のステップＳ１０１乃至ステップＳ１１３の処理も同じであるため、それらの説明を省略する。
【０１１０】
図１６及び図１７は、本発明の実施形態４に係る撮像装置において、動画撮影中に輝度が所定値以上変化した場合にクイックレビュー用画像データを作成して画像メモリ３０に記憶させる動作を示すフローチャートである。尚、図１６において、ステップＳ９０１〜９１２の処理は、前述の図４のステップＳ２０１〜Ｓ２１２の処理と同じであるため、その説明を省略する。また、この処理を実行するプログラムはＲＯＭ５０２に記憶されており、ＣＰＵ５０１の制御の下に実行される。従って、以下の説明における各ステップの動作主体はＣＰＵ５０１である。
【０１１１】
ステップＳ９１３では、ステップＳ９０９で画像メモリ３０に記憶された画像データから、記憶媒体に記憶する画像データを作成し、画像処理回路２０にて所定の画像処理を行い、再度画像メモリ３０に記憶する。次にステップＳ９１４に進み、その画像データを、動画ファイルの１フレーム目として記憶媒体に記憶する。次にステップＳ９１５に進み、ステップＳ９１３で作成した画像データから、画像データの輝度値を算出する。そしてステップＳ９１６で、その算出された輝度値を輝度値メモリ７９に記憶する。次にステップＳ９１７に進み、ステップＳ９０９で画像メモリ３０に記憶された画像データから、撮影終了後にクイックレビューとして表示する画像データを作成する。ここでは画像表示部２８の画素数及び前述のクイックレビュー表示方法の設定に基づいて画像処理を行った後、クイックレビュー用画像データ枚数カウンタ７７のカウント値ＮＣに関連付けて画像メモリ３０に記憶する。次にステップＳ９１８に進み、ステップＳ９０９で得られた画像データに対して、画像処理回路２０及びメモリ制御回路２２によりライブビュー表示用の画像処理を施し、画像データとして画像表示メモリ２４に記憶する。そしてステップＳ９１９に進み、その画像表示メモリ２４に記憶された画像データを、メモリ制御回路２２及びＤ／Ａ変換器２６を介して画像表示部２８に表示してステップＳ１００１（図１７）に進む。
【０１１２】
図１７のステップＳ１００１〜Ｓ１０１１の処理は、前述の図１２のステップＳ６０１〜Ｓ６１１の処理と同じであるため、その説明を省略する。
【０１１３】
ステップＳ１０１１で記録媒体に記憶した後ステップＳ１０１２に進み、ステップＳ１０１１で作成した画像データから、画像データの輝度値を算出する。そしてステップＳ１０１３で、輝度値メモリ７９に記憶されている輝度値から、輝度値が所定値以上変化しているか否かを判断する。ここで輝度値が所定値以上変化していなかった場合はステップＳ１０１５へ進む。ここでステップＳ１０１５〜Ｓ１０１７の処理は、前述の図１２のステップＳ６１５〜６１７の処理と同じであるため、その説明を省略する。そしてステップＳ１０１６或はＳ１０１７を実行するとステップＳ１０２１に進む。
【０１１４】
一方ステップＳ１０１３で、輝度値が所定値以上変化していた場合はステップＳ１０１９に進み、クイックレビュー用画像データ枚数カウンタ７７のカウント値ＮＣを「＋１」する。次にステップＳ１０２０で、クイックレビュー用画像データ記憶フラグ７６を「１」にする。次にステップＳ１０２１に進み、輝度値メモリ７９に記憶されている輝度値を消去し、次にステップＳ１０２２で、ステップＳ１０１２で算出された輝度値を輝度値メモリ７９に記憶する。次にステップＳ１０２３に進み、ステップＳ１００９で、画像メモリ３０に記憶された画像データから、撮影終了後にクイックレビューとして表示する画像データを作成する。ここで画像表示部２８の画素数及び前述のクイックレビュー表示方法の設定に基づいて画像処理を行った後、クイックレビュー用画像データ枚数カウンタ７７のカウント値ＮＣに関連付けて画像メモリ３０に記憶する。次にステップＳ１０２４に進み、ステップＳ１００９で撮像素子１４から得られた画像データに対して、画像処理回路２０及びメモリ制御回路２２を介してライブビュー表示用の画像処理を施し、撮影した動画データとして画像表示メモリ２４に記憶する。そしてステップＳ１０２５に進み、画像表示メモリ２４に記憶された画像データを、メモリ制御回路２２及びＤ／Ａ変換器２６を介して画像表示部２８に表示してステップＳ１００１に進む。
【０１１５】
以上説明したように本発明の実施形態４によれば、動画撮影中に輝度値が所定値以上変化すると、そのときの画像データを画像メモリ３０に記憶し、動画撮影後のクイックレビュー用画像データとして画像表示部２８に表示する。このように輝度値が大きく変化した前後では撮影場面や構図が変化していることが多いので、撮影者は撮影した動画の重要箇所を確認することができる。また撮影開始時及び撮影終了時も画像データを画像メモリ３０に記憶し、動画撮影後のクイックレビュー用画像データとして表示するので、撮影した動画の全体を確認することができる。
【０１１６】
［実施形態５］
次に本発明の実施形態５を図１８乃至図２２を参照して説明する。この実施形態５では、動画撮影開始時及び終了時、及び撮影中の所定時間毎に、撮影終了時のクイックレビュー用の動画像データを画像メモリ３０に記憶し、動画クイックレビューとして画像表示部２８に表示する。尚、本実施形態５に係る撮像装置１００の構成は実施形態１と同じであり、また実施形態１の図３のステップＳ１０１乃至ステップＳ１１３の処理も同じであるため、それらの説明を省略する。
【０１１７】
図１８乃至図２０は、本発明の実施形態５に係る撮像装置１００において、撮影している動画像を所定時間間隔で画像メモリ３０に記憶させる場合の動作を示すフローチャートである。尚、この処理を実行するプログラムはＲＯＭ５０２に記憶されており、ＣＰＵ５０１の制御の下に実行される。従って、以下の説明における各ステップの動作主体はＣＰＵ５０１である。
【０１１８】
また図２１は、本発明の実施形態５に係る撮像装置１００において、撮影開始から終了までのクイックレビュー用動画像データ作成タイミングを示す図である。
【０１１９】
図１８のステップＳ１１０１〜Ｓ１１１５の処理は、前述の図４のステップＳ２０１〜Ｓ２１１，及びステップＳ２１３〜Ｓ２１６の処理と同じであるため、その説明を省略する。
【０１２０】
図１８のステップＳ１１１５でライブビュー画像が表示されるとステップＳ１２０１（図１９）に進み、モードダイヤルスイッチ６２の位置が変更されずに動画撮影モードが選択されているか否かを判断する。ここで動画撮影モード以外のモードが選択された場合は図３のステップＳ１０３へ進む。一方ステップＳ１２０１で、引き続き動画撮影モードが選択されている場合はステップＳ１２０２に進み、動画撮影ボタン７０が再度オンされて動画撮影の終了が指示されたか否かを判断する。ここで動画撮影の終了が指示されたと判断するとステップＳ１２０３に進み、クイックレビュー用画像データ枚数カウンタ７７のカウント値ＮＣが「１」であるか否かを判断する。ここで枚数カウンタ７７のカウント値ＮＣが「１」でなかった場合はステップＳ１２０４に進み、クイックレビュー用画像データ枚数カウンタ７７のカウント値ＮＣを＋１してステップＳ１２０５へ進む。一方、ステップＳ１２０３で、クイックレビュー用画像データ枚数カウンタ７７のカウント値ＮＣが「１」であった場合はステップＳ１２０５に進み、クイックレビューを開始する。尚、このステップＳ１２０５の動画クイックレビュー動作の詳細については、図２２を用いて後述する。
【０１２１】
こうしてステップＳ１２０５でクイックレビュー表示を行った後ステップＳ１２０６に進み、画像メモリ３０に記憶されているクイックレビュー用動画像データを記憶媒体に記憶する。そして図３のステップＳ１０３へ進む。
【０１２２】
一方、ステップＳ１２０２で、動画撮影が継続されていると判断するとステップＳ１２０７に進み、図４のステップＳ２０７と同様にしてＡＦ処理を行い、撮影レンズ１０の焦点を被写体に合わせる。続いてステップＳ１２０５に進み、図４のステップＳ２０８と同様にして、シャッタ制御部４０を介して絞り／シャッタ１２を駆動させるＡＥ処理を行う。次にステップＳ１２０９に進み、タイミング発生回路１８を制御して撮像素子１４から得られた画像データを画像メモリ３０に記憶する。次にステップＳ１２１０に進み、タイマ５８による計時値が、撮影者に予め設定されたクイックレビュー表示時間Ｔに達しているか否かを判断する。ここでタイマ５８による計時値がクイックレビュー表示時間Ｔに達していないと判断するとステップＳ１２１１に進む。ステップＳ１２１１では、ステップＳ１２０９で画像メモリ３０に記憶された画像データから、記憶媒体に記憶する画像データと、撮影終了後にクイックレビューとして表示する画像データの２つの画像データを作成する。ここで記憶媒体に記憶される画像データは、画像処理回路２０にて所定の画像処理が施されて、再度画像メモリ３０に記憶される。またクイックレビュー用の画像データは、画像表示部２８の画素数及び動画クイックレビュー表示の設定に基づいて画像処理が行われた後、クイックレビュー用画像データ枚数カウンタ７７のカウント値ＮＣに関連付けて画像メモリ３０に記憶される。そしてステップＳ１２１２に進み、画像メモリ３０に記憶された画像データを、動画ファイルを構成する画像データとして記憶媒体に記憶する。そしてステップＳ１２１３に進み、ステップＳ１２０９で撮像素子１４から得られた画像データを、画像処理回路２０及びメモリ制御回路２２を介してライブビュー表示用の画像処理を施して画像表示メモリ２４に記憶する。そしてステップＳ１２１４で、その画像表示メモリ２４に記憶された画像データを、ライブビューとして画像表示部２８に表示してステップＳ１２０１に進む。
【０１２３】
一方、ステップＳ１２１０で、タイマ５８による計時値がクイックレビュー表示時間Ｔに達していた場合はステップＳ１２１５に進む。ステップＳ１２１５〜Ｓ１２１８では、前述のステップＳ１２１１〜Ｓ１２１４と同じ処理を実行する。そしてステップＳ１２１８を実行するとステップＳ１３０１（図２０）に進む。
【０１２４】
図２０のステップＳ１３０１〜Ｓ１３０９の処理は、前述の図１９のステップＳ１２０１〜Ｓ１２０９の処理と同じであるため、それらの説明を省略する。
【０１２５】
図２０のステップＳ１３０９で、動画撮影した画像データを画像メモリ３０に記憶するとステップＳ１３１０に進む。ステップＳ１３１０では、タイマ５８による計時値が、予め設定されている所定時間ｔ１に達しているか否かを判断する。ここでタイマ５８の計時値が所定時間ｔ１になった判断するとステップＳ１３１１に進み、タイマ５８による計時値を「０」にし、再度タイマ５８による計時を開始する。次にステップＳ１３１２に進み、クイックレビュー用画像データ枚数カウンタ７７のカウント値ＮＣを「＋１」する。そしてステップＳ１３１３に進み、前述のステップＳ１２１１、Ｓ１２１５と同様に、ステップＳ１３０９で画像メモリ３０に記憶された画像データから、記憶媒体に記憶する画像データと、クイックレビューとして表示する画像データを作成する。そして記憶媒体に記憶する画像データを、画像処理回路２０にて所定の画像処理を行って再度画像メモリ３０に記憶する。またクイックレビュー用の画像データは、画像表示部２８の画素数及び動画クイックレビュー表示の設定に基づいて画像処理を行った後、クイックレビュー用画像データ枚数カウンタ７７のカウント値ＮＣに関連付けて画像メモリ３０に記憶する。そしてステップＳ１３１４に進み、画像メモリ３０に記憶された記憶媒体に記憶される画像データを、動画ファイルを構成する画像データとして記憶媒体に記憶する。次にステップＳ１３１５に進み、ステップＳ１３０９で撮像素子１４から得られた画像データに、画像処理回路２０及びメモリ制御回路２２を介してライブビュー表示用の画像処理を施して画像表示メモリ２４に記憶する。そしてステップＳ１３１６で、その画像表示メモリ２４に記憶された画像データを、メモリ制御回路２２及びＤ／Ａ変換器２６を介して画像表示部２８に表示して（ライブビュー表示）、図１９のステップＳ１２０１に戻る。
【０１２６】
一方、ステップＳ１３１０でタイマ５８の計時値が所定時間ｔ１に達していないと判断した場合はステップＳ１３１７に進み、記憶媒体に記憶する画像データと、クイックレビュー用の画像データを作成する。そしてステップＳ１３１８に進み、その画像メモリ３０に記憶された記憶媒体に記憶する画像データを、動画ファイルを構成する画像データとして記憶媒体に記憶する。次にステップＳ１３１９に進み、画像メモリ３０に記憶されている「ＮＣ＋１」に関連付けられたクイックレビュー用画像データの数がクイックレビュー表示時間Ｔ表示分より多いか否かを判断する。ここで「ＮＣ＋１」に関連付けられたクイックレビュー用画像データ数がクイックレビュー表示時間Ｔ表示分以下であると判断するとステップＳ１３２１に進むが、そうでないときはステップＳ１３２０に進む。ステップＳ１３２０では、「ＮＣ＋１」に関連付けられたクイックレビュー用画像データをクイックレビュー表示時間Ｔ表示分より多い分だけ消去する。その際、画像メモリ３０に記憶されている「ＮＣ＋１」に関連付けられたクイックレビュー用画像データの中でも古いものから順に消去する。そしてステップＳ１３２１に進み、前述のステップＳ１３１５と同様に、ライブビュー表示用の画像処理が施され他画像データを画像表示メモリ２４に記憶し、ステップＳ１３２２で画像表示部２８に表示（ライブビュー表示）して図２０のステップＳ１３０１に戻る。
【０１２７】
これにより図２１に示すように、動画撮影中、所定時間ｔ１毎に、時間Ｔ分のクイックレビュー用画像データが作成されるため、動画撮影後のクイックレビュー表示時に、撮影した動画の全体を確認することが可能である。そして、クイックレビュー表示時間Ｔに合わせ、連続してクイックレビュー用画像データを記憶するので、クイックレビュー表示時に動画を表示することができる。
【０１２８】
また本実施形態５によれば、動画撮影開始時と動画撮影終了時の画像データをクイックレビューとして表示できるので、動画撮影開始時の画像と動画撮影終了時の画像を確認することが可能である。
【０１２９】
更に本実施形態５によれば、クイックレビュー用画像データを記憶媒体に記憶するので、撮影した動画を確認する際には、その記憶しているクイックレビュー用画像データ使用できる。これにより撮影した動画から新たにクイックレビュー用画像を作成する必要がなくなる。
【０１３０】
次に、図２２を参照して、本発明の実施形態５に係る撮像装置の動画クイックレビュー表示動作について説明する。
【０１３１】
図２２は、本発明の実施形態５に係る撮像装置において、画像表示部２８にクイックレビュー用画像データのうち複数を同時に表示し、且つ動画表示する場合のクイックレビュー動作を示すフローチャートである。尚、この処理を実行するプログラムはＲＯＭ５０２に記憶されており、ＣＰＵ５０１の制御の下に実行される。従って、以下の説明における各ステップの動作主体はＣＰＵ５０１である。
【０１３２】
まず初めにステップＳ１４０１で、画像表示部２８の表示可能面積とクイックレビュー用画像データ枚数カウンタ７７のカウント値ＮＣから、カウント値毎のクイックレビュー用画像データの表示面積を算出する。次にステップＳ１４０２に進み、画像メモリ３０に記憶されている動画クイックレビュー用画像データの中で、クイックレビュー用画像データ枚数カウンタ７７の全カウント値における１フレーム目に相当する動画クイックレビュー用画像データを読み出す。次にステップＳ１４０３に進み、ステップＳ１４０１で算出したクイックレビュー用画像データの表示面積を基に、ステップＳ１４０２で読み出した全カウント値の１フレーム目を同時に表示するクイックレビュー表示画像データを画像処理回路２０で作成する。そしてステップＳ１４０４に進み、メモリ制御回路２２及びＤ／Ａ変換器２６を介して、ステップＳ１４０３で作成した１フレーム目のクイックレビュー表示画像データを画像表示部２８に表示する。
【０１３３】
ここで、クイックレビュー用画像データ枚数カウンタ７７のカウント値ＮＣが「９」であった場合の表示状態は、前述の図１０に示す通りである。
【０１３４】
次にステップＳ１４０５に進み、タイマ５８による計時を開始する。そしてステップＳ１４０６に進み、タイマ５８による計時値がクイックレビュー表示時間Ｔに達しているか否かを判断する。ここでタイマ５８による計時値がクイックレビュー表示時間Ｔに達していると判断すると、動画クイックレビュー動作を終了する。
【０１３５】
一方、ステップＳ１４０６で、クイックレビュー表示時間Ｔに達していないと判断した場合はステップＳ１４０７に進み、クイックレビュー用画像データ枚数カウンタ７７の全カウント値における次フレームに相当する動画クイックレビュー用画像データを読み出す。次にステップＳ１４０８に進み、ステップＳ１４０１で算出したクイックレビュー用画像データ表示面積を基に、ステップＳ１４０７で読み出した全カウント値の次フレームを同時に表示するクイックレビュー表示画像データを画像処理回路２０で作成する。そしてステップＳ１４０９に進み、メモリ制御回路２２及びＤ／Ａ変換器２６を介して、ステップＳ１４０８で作成したクイックレビュー表示画像データを画像表示部２８に表示ししてステップＳ１４０６に戻る。
【０１３６】
以上説明したように本実施形態５によれば、撮影開始時、撮影中所定時間毎、及び撮影終了時の動画データを画像メモリ３０に記憶し、動画撮影後のクイックレビュー用の動画データとして画像表示部２８に表示できる。これにより撮影者は、撮影した動画の全体を確認することができる。
【０１３７】
（他の実施形態）
以上、本発明の実施形態について詳述したが、本発明は、複数の機器から構成されるシステムに適用しても良いし、また一つの機器からなる装置に適用しても良い。
【０１３８】
なお、本発明は、前述した実施形態の機能を実現するソフトウェアのプログラムを、システム或いは装置に直接或いは遠隔から供給し、そのシステム或いは装置のコンピュータが該供給されたプログラムを読み出して実行することによっても達成され得る。その場合、プログラムの機能を有していれば、形態は、プログラムである必要はない。
【０１３９】
従って、本発明の機能処理をコンピュータで実現するために、該コンピュータにインストールされるプログラムコード自体も本発明を実現するものである。つまり、本発明のクレームでは、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等、プログラムの形態を問わない。
【０１４０】
プログラムを供給するための記録媒体としては、様々なものが使用できる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などである。
【０１４１】
その他、プログラムの供給方法としては、クライアントコンピュータのブラウザを用いてインターネットのホームページに接続し、該ホームページからハードディスク等の記録媒体にダウンロードすることによっても供給できる。その場合、ダウンロードされるのは、本発明のコンピュータプログラムそのもの、もしくは圧縮され自動インストール機能を含むファイルであってもよい。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【０１４２】
また、本発明のプログラムを暗号化してＣＤ−ＲＯＭ等の記憶媒体に格納してユーザに配布する形態としても良い。その場合、所定の条件をクリアしたユーザに対し、インターネットを介してホームページから暗号化を解く鍵情報をダウンロードさせ、その鍵情報を使用することにより暗号化されたプログラムが実行可能な形式でコンピュータにインストールされるようにする。
【０１４３】
また、コンピュータが、読み出したプログラムを実行することによって、前述した実施形態の機能が実現される形態以外の形態でも実現可能である。例えば、そのプログラムの指示に基づき、コンピュータ上で稼動しているＯＳなどが、実際の処理の一部または全部を行ない、その処理によっても前述した実施形態の機能が実現され得る。
【０１４４】
更に、記録媒体から読み出されたプログラムが、コンピュータに挿入された機能拡張ボードやコンピュータに接続された機能拡張ユニットに備わるメモリに書き込まれるようにしてもよい。この場合、その後で、そのプログラムの指示に基づき、その機能拡張ボードや機能拡張ユニットに備わるＣＰＵなどが実際の処理の一部または全部を行ない、その処理によって前述した実施形態の機能が実現される。
【図面の簡単な説明】
【０１４５】
【図１】本発明の実施形態に係る撮像装置の構成を示すブロック図である。
【図２】本発明の実施形態に係る撮像装置において、クイックレビューに関する設定を行うための設定表示画面の一例を示す図である。
【図３】、
【図４】、
【図５】本発明の実施形態１に係る撮像装置の動作及び処理手順を示すフローチャートである。
【図６】実施形態１におけるクイックレビュー用画像データの作成タイミングを説明する図である。
【図７】本実施形態１に係る撮像装置におけるクイックレビュー動作を示すフローチャートである。
【図８】本実施形態１に係る撮像装置におけるクイックレビューのタイミングを示すタイミング図である。
【図９】本実施形態１に係る撮像装置で、クイックレビュー用画像データの内、複数を同時に表示する場合のクイックレビュー動作を示すフローチャートである。
【図１０】クイックレビュー用画像データの複数を同時に表示する場合の画像表示部の表示内容の一例を示す図である。
【図１１】画像表示部にクイックレビュー用画像データの複数を同時に表示する場合のクイックレビュー動作タイミングを示す図である。
【図１２】本発明の実施形態２に係る撮像装置において、動画撮影中、主被写体が所定以上大きく撮影された場合にクイックレビュー用画像データを作成して記憶する動作を示すフローチャートである。
【図１３】、
【図１４】本発明の実施形態３に係る撮像装置において、動画撮影中にズームした場合、クイックレビュー用画像データを作成して画像メモリに記憶する動作を説明するフローチャートである。
【図１５】本発明の実施形態３に係るクイックレビュー画像の抽出タイミングを示す図である。
【図１６】、
【図１７】本発明の実施形態４に係る撮像装置において、動画撮影中に輝度が所定値以上変化した場合にクイックレビュー用画像データを作成して画像メモリに記憶させる動作を示すフローチャートである。
【図１８】、
【図１９】、
【図２０】本発明の実施形態５に係る撮像装置において、撮影している動画像を所定時間間隔で画像表示メモリに記憶させる場合の動作を示すフローチャートである。
【図２１】本発明の実施形態５に係る撮像装置において、撮影開始から終了までのクイックレビュー用動画像データ作成タイミングを示す図である。
【図２２】本発明の実施形態５に係る撮像装置において、画像表示部にクイックレビュー用画像データのうち複数を同時に表示し、且つ動画表示する場合のクイックレビュー動作を示すフローチャートである。
【図１】
2010068474.tif 000003
【図２】
2010068474.tif 000004
【図３】
2010068474.tif 000005
【図４】
2010068474.tif 000006
【図５】
2010068474.tif 000007
【図６】
2010068474.tif 000008
【図７】
2010068474.tif 000009
【図８】
2010068474.tif 000010
【図９】
2010068474.tif 000011
【図１０】
2010068474.tif 000012
【図１１】
2010068474.tif 000013
【図１２】
2010068474.tif 000014
【図１３】
2010068474.tif 000015
【図１４】
2010068474.tif 000016
【図１５】
2010068474.tif 000017
【図１６】
2010068474.tif 000018
【図１７】
2010068474.tif 000019
【図１８】
2010068474.tif 000020
【図１９】
2010068474.tif 000021
【図２０】
2010068474.tif 000022
【図２１】
2010068474.tif 000023
【図２２】
2010068474.tif 000024